(57)【要約】【課題】釣り竿を固定状態のまま効率良く簡単に操作することを可能とし、釣り竿を持つ腕の負担や移動時の煩わしさの軽減を図り、両手を使った動作を円滑に実施可能とした釣り竿保持具を提供する。【解決手段】釣り人の上半身に対して着脱自在に取り付け可能とする装着手段２０と、装着手段に取り付けられた釣り竿固定手段３０とを備える。釣り竿固定手段は、装着手段に固着された固定部４０と、釣り竿を保持する竿受け部５１を備え釣り竿の保持状態のまま固定部より離反可能とする可動部５０を有する。固定部と可動部は、互いに係合する着脱自在な連結手段６０を有し、可動部の固定部からの離反に追従して伸張する伸縮自在な結合部材７０により結合されている。可動部は、竿受け部にて保持する釣り竿に対して巻き付け可能な固定ベルト５２と、竿受け部に対して固定ベルトを着脱自在に固定する着脱手段５３とを備える。【選択図】図１
0003133080.tif 000002
【実用新案登録請求の範囲】
【請求項１】
釣り竿の保持を補助するための釣り竿保持具であって、
釣り人の上半身に対して着脱自在に取り付け可能とする装着手段と、
この装着手段に取り付けられた釣り竿固定手段と、を備え、
前記釣り竿固定手段は、前記装着手段に固着された固定部と、釣り竿を保持する竿受け部を備え前記固定部に対して離反可能とする可動部を有し、
前記固定部と前記可動部は、互いに係合する着脱自在な連結手段を有するとともに、前記可動部の前記固定部からの離反により伸張する伸縮自在な結合部材とにより連結されていることを特徴とする釣り竿保持具。
【請求項２】
前記可動部は、前記竿受け部にて保持する釣り竿の周胴部に対して巻き付け可能な固定ベルトと、この固定ベルトの先端側を前記竿受け部側に対して着脱自在に固定する一対の着脱手段と、を備えている請求項１に記載の釣り竿保持具。
【請求項３】
前記竿受け部は、保持する釣り竿の周胴部の一部を露呈し、前記固定ベルトを挿通可能とする切欠き部を有し、前記固定ベルトは、前記竿受け部の外側からによる釣り竿の周胴部に対する巻き付け固定と、前記切欠き部を挿通した前記竿受け部の内側からによる釣り竿の周胴部に対する巻き付け固定を可能とする請求項２に記載の釣り竿保持具。
【請求項４】
前記装着手段は、釣り竿の胴上部を保持する胴上部固定具をさらに備えている請求項１から３のいずれかに記載の釣り竿保持具。
【請求項５】
前記装着手段は、肩掛けベルト型をしている請求項１から４のいずれかに記載の釣り竿保持具。
【請求項６】
前記装着手段は、衣服型をしている請求項１から４の何れかに記載の釣り竿保持具。
【請求項７】
前記装着手段は、釣り竿の竿尻を保持する竿尻受け具をさらに備えている請求項１から６のいずれかに記載の釣り竿保持具。
【請求項８】
前記結合部材は、ゴムベルトである請求項１から８のいずれかに記載の釣り竿保持具。
【考案の詳細な説明】
【技術分野】
【０００１】
本考案は、釣り竿保持具に係るものであり、詳しくは、フカセ釣り、鮎釣りといった各種の魚釣りを行う場合において、釣り竿（以下、単に「竿」という場合がある。）を保持する釣り人の負担や、作業の煩わしさを軽減するように補助する釣り竿保持具に関する。
【背景技術】
【０００２】
フカセ釣り、鮎釣り等の魚釣りを行なう場合、釣り竿を手に持ったまま行うのが一般的である。したがって、魚が釣れるまでの間、竿を伸ばした状態においてそのまま片手で長時間持ち続けることになる。ところが、このように竿を持った状態を維持するのは、腕に負担をかけ腕が疲れることになる。そして、場合によっては、腕の疲れにより魚の当たりが分からなくなることもある。
【０００３】
また、仕掛け等を換える時など両手で何らかの別の動作を行いたい場合がある。例えば鮎釣りといった川釣りにおいては釣り竿を持ったまま川の中に入ることから、釣り竿を一時的に置くようなスペースがないため、釣り人は釣り竿から手を離すことが出来ず、釣り竿を脇に挟んだ不安定（不自然）な姿勢で作業を行なわなければならない。このような姿勢での作業は、非常に煩わしくかつ不便である。一方、釣り竿を置くようなスペースがある場合であっても、凹凸を有する岩場等の上に竿を置くと、竿を傷つけてしまう虞がある。さらに、釣った魚の取り込みにおいて、片方の手で竿を持ち、もう一方の手でタモ網を持つ場合も、腕に負担をかけることになる。
【０００４】
そこで、腕など身体に負担を掛けず、また、釣り針への餌の取り付けなど何らかの別の動作を行いたい場合に対処するようにした釣り用補助具が幾つか提案されている（たとえば、特許文献１乃至３参照）。
【０００５】
しかしながら、上述した特許文献１乃至３に記載の釣り用補助具においては、釣り竿の固定や、作業に応じた釣り竿の着脱は可能とするものの、たとえば竿振りなどの動作を制限すること無く、釣り竿を保持したまま効率良く操作することが考慮されていない。
【特許文献１】実開昭６１−１７５９７２号公報
【特許文献２】実開平３−８３０７８号公報
【特許文献３】実開平７−４２３０１号公報
【考案の開示】
【考案が解決しようとする課題】
【０００６】
本考案は、上記事情に鑑みてなされたものであり、釣り竿を保持したまま効率良く簡単に操作することを可能とし、釣り竿を持つ腕の負担や移動時の煩わしさの軽減を図り、両手を使った動作を円滑に行なうことを可能とした釣り竿保持具を提供することを目的とする。
【課題を解決するための手段】
【０００７】
本考案に係る釣り竿保持具は、釣り竿の保持を補助するための釣り竿保持具であって、釣り人の上半身に対して着脱自在に取り付け可能とする装着手段と、この装着手段に取り付けられた釣り竿固定手段と、を備え、前記釣り竿固定手段は、前記装着手段に固着された固定部と、釣り竿を保持する竿受け部を備え前記固定部に対して離反可能とする可動部を有し、前記固定部と前記可動部は、互いに係合する着脱自在な連結手段を有するとともに、前記可動部の前記固定部からの離反に追従して伸張する伸縮自在な結合部材により結合されていることを特徴とする。
【考案の効果】
【０００８】
本考案の釣り竿保持具は、装着手段によって釣り人の上半身に対して取り付けられ、この装着手段に取り付けられた釣り竿固定手段によって釣り竿の周胴部が保持される。ゆえに、別動作の際に釣り竿を放置すること無く、釣り竿から両手を離した状態での釣り竿の保持や、長時間の待機の際に、釣り竿に対して片手を軽く添えた状態で釣り竿を保持することが出来る。また、この釣り竿固定手段は、着脱自在な連結手段によって互いに係合する固定部及び可動部とから構成されているので、この連結手段による連結を解除することで、釣り竿を保持した状態のまま竿振りなどの動作を行なうことが出来る。しかも、固定部と可動部は、伸縮自在な結合部材によって一体化されているので、可動部は固定部から離反可能となるものの、この離反に追従して結合部材が伸張することになる。ゆえに、可動部が固定部から完全に分離することなく結合状態を維持しながら、竿受け部において保持された釣り竿を操作することが出来る。これにより、両手を使う動作の際に竿を地面等に置いたり、もしくは誤って竿を落としてしまったりすることにより、竿を傷めてしまうこともない。
したがって、釣り竿を保持したまま効率良く簡単に操作することができ、釣り竿を持つ腕の負担や移動時の煩わしさの軽減を図り、両手を使った動作を円滑に行なうことができる釣り竿保持具を提供することが出来る。
【考案を実施するための最良の形態】
【０００９】
以下、本考案の釣り竿保持具の実施例を図面に基づいて詳細に説明する。
本考案の釣り竿保持具としては、たとえば釣り人の上半身に対して簡易に脱着することを重視したタイプ（以下、「第一の釣り竿保持具」という）と、釣り人の上半身に対して安定して装着することを重視したタイプ（以下、「第二の釣り竿保持具」という）とに、大きく分けることができる。
【００１０】
＜第一実施形態＞
まず、釣り竿保持具の第一実施形態について、図１乃至図８に基づき説明する。
図１に示すように、釣り竿保持具１０Ａは、釣り竿の保持を補助するためのもので、釣り竿保持具１０Ａを釣り人の上半身に対して着脱自在の装着手段２０と、この装着手段２０に取り付けられた釣り竿固定手段３０と、を備える。釣り竿固定手段３０は、装着手段２０に固着された固定部４０と、釣り竿を保持する竿受け部５１を備え、釣り竿の保持状態のまま固定部４０より離反可能な可動部５０とから構成される。固定部４０と可動部５０は、互いに係合することによって連結することができる連結手段６０を有している。連結手段６０は、フックとこのフックに対する係合孔との関係によって着脱自在になっていて、連結手段６０による係合が外れて可動部５０が固定部４０から離反しても可動部５０が固定部４０から脱落しないように、固定部４０と可動部５０は伸縮自在な結合部材７０を介して結合されている。したがって、可動部５０を固定部４０から離脱させると、可動部５０は結合部材７０を介して固定部４０に結合された状態になり、可動部５０に荷重がかかると、結合部材７０が伸びるようになっている。
【００１１】
本実施形態において、釣り人の上半身に対して簡易に脱着することを重視した装着手段２０としては、図１に示すように、たとえばタスキ掛け可能な肩掛けベルト（以下、符号２０Ａで示す。）型とすることが出来る。ここでいうタスキ掛けとは、和服の袖をたくし上げるために肩から脇の下へ通し、背中で交差させることを可能とするものではなく、一方の肩からもう一方の腰にかけて斜めに掛けることを可能とすることを言う。これにより、釣り人の上半身に対して簡易かつ効率良く脱着することが可能となる。
この肩掛けベルト２０Ａは、両端を連結することにより環状にすることができる一対の連結具２１を備えている。連結具２１としては、図１に示すように、たとえば互いに係合可能な雄型フック２１ａと雌型フック２１ｂで構成することが出来る。釣り人の上半身に対して胴体前方での連結具２１の操作が可能であり、肩掛けベルト２０Ａをタスキ掛け状に容易に装着することが可能となる。
【００１２】
また、図１において肩掛けベルト２０Ａは、一端側に使用時のベルト長さ変えることが可能な長さ調整具２２を備える。これにより、釣り人の体格に合わせて釣り竿の操作等がし易い位置、たとえば釣り人の腰の位置近傍に釣り竿固定手段３０を配置することが可能となる。
【００１３】
前記竿受け部５１は、図２に示すように、釣り竿を前記連結手段６０側すなわち上側より挿入して保持可能とする開口５４を有するＵ字状フック（以下、符号５１で示す。）を主体としてなる。このＵ字状フック５１は、たとえば合成樹脂や竹材等の弾性力を有する部材より構成され、開口５４の幅は、釣竿を保持するために部分円筒状に形成された底部の内径よりも狭くなっている。これにより、Ｕ字状フック５１に対する竿の固定がし易くなると共に、釣り竿の周胴部を、前記弾性力を利用した圧接により確実に保持することが可能となる。また、竿受け部としてはＵ字状フックに限らず、竿を基端側より挿通して保持する環状部材としても良い。
【００１４】
また、Ｕ字状フック５１では、図３に示すように、釣竿にリールＲＥを固定するリールシート部１００の近傍であって竿先端側近傍に取り付けるとよい。これにより、竿のバランスが良く、長時間竿を保持する負担を軽減することが出来る。
【００１５】
前記固定部４０と前記可動部５０は、両者を着脱自在に係合する連結手段６０によって連結されるとともに、可動部５０を固定部４０から離脱させたとき竿の荷重で伸張する伸縮自在な結合部材７０で結合されている。
この連結手段６０として、図示の実施例では、Ｕ字状をした係止片６１と、この係止片６１を挿通可能とする大きさの被係止口６２とから構成されている。係止片６１は、肩掛けベルト２０Ａの他端部に設けられている。肩掛けベルト２０Ａに対する係止片６１の取り付けは、肩掛けベルト２０Ａの他端部を折り返し、長さ調整具６３に設けられた複数の挿入口を縫うように通すことにより取り付けられている。すなわち、図において長さ調整具６３には三つの挿入口が設けられており、一番下の挿入口の背面側より肩掛けベルト２０Ａの端部を通した後、正面側より真ん中の挿入口に通し、さらに背面側から一番上の挿入口に通すことにより取り付けられている。したがって、長さ調整具６３に取り付けられた係止片６１は、その位置の調整が可能なように構成されている。また、係止片６１は、長さ調整具６３に対して回動自在となるようにピン６４にて取り付けられている。これにより、係止片６１は、ピン６４を回転軸として搖動角度が自由となり、可動部５０の動きを抑制することなく竿の角度に適合した効率良い動作が可能となる。
また、結合部材７０としては、例えばゴムベルト（以下、符号７０で示す。）を挙げることが出来る。
【００１６】
したがって、仕掛け等を換えるといった何らかの作業を行なう時や、長時間待ち続けるといった腕に負担を掛ける虞のある時などは、図２（ａ）に示すように、係止片６１を被係止口６２に係合させ、固定部４０と可動部５０とを連結状態とすることで、Ｕ字状フック５１に保持された釣り竿が、可動部５０及び固定部４０を介して肩掛けベルト２０Ａによって、落下すること無く適切に保持される。
一方、仕掛けの投入といった釣り竿をＵ字状フック５１に保持した状態のまま効率良く操作したい場合は、図２（ｂ）に示すように、固定部４０と可動部５０とを係合する係止片６１と被係止口６２の係合を解除する。そうすると、可動部５０は固定部４０から離反するが、可動部５０に竿の荷重がかかり結合部材であるゴムベルト７０が伸張する。これにより、可動部５０が固定部４０から完全に分離することなく結合状態を維持しながら、Ｕ字状フック５１において保持された釣り竿の操作を可能とする。
【００１７】
また、可動部５０は、Ｕ字状フック５１にて保持する釣り竿の周胴部に対して巻き付け可能な固定ベルト５２と、この固定ベルト５２の先端側を前記竿受け部５１側に対して着脱自在に固定する着脱手段５３とを備える。図１乃至３において、着脱手段５３は、一対の平面ファスナーより構成され、Ｕ字状フック５１側に係止平面ファスナー５３ａが設けられ、固定ベルト５２の先端側に被係止平面ファスナー５３ｂが設けられている。これにより、釣り竿の周胴部に対して固定ベルト５２を巻き付け、Ｕ字状フック５１における竿の保持状態を確実に維持するように固定することが出来るので、保持可能な釣り竿の太さに幅を持たせることが出来る。
【００１８】
Ｕ字状フック５１は、図２に示すように、保持する釣り竿の周胴部の一部を露呈し、前記固定ベルト５２を挿通可能とする切欠き部５５を有している。これにより、固定ベルト５２は、図３に示すように、Ｕ字状フック５１の外側からによる釣り竿ＲＯの周胴部に対する巻き付け固定と、図４に示すように、前記切欠き部５５を介したＵ字状フック５１の内側からによる釣り竿ＲＯの周胴部に対する巻き付け固定とを可能としている。したがって、この実施例にかかる釣り竿保持具１０においては、竿ＲＯの径（太さ）により固定バンド５２を内巻きもしくは外巻きと任意に選択して巻き付け固定することが出来る。なお、切欠き部５５は、一つであっても良いし、竿ＲＯの径に応じて適切に巻き付け出来るように複数設けても良い。
【００１９】
肩掛けベルト２０Ａは、釣り竿の胴上部を保持する胴上部固定具８０をさらに備えると望ましい。胴上部固定具８０は、図１に示すように、一端側が肩掛けベルト２０Ａに固定された保持ベルト部８０と、この保持ベルト部８０が環状となるように他端側を一端側に対して着脱自在に固定する一対の着脱手段８１（８１ａ，８１ｂ）からなる。着脱手段８１は、一対の平面ファスナーより構成され、前記胴上部固定具８０の一端側に係止平面ファスナー８１ａが設けられ、胴上部固定具８０の他端側に被係止平面ファスナー８１ｂが設けられている。これにより、釣り竿の胴上部に対して胴上部固定具８０を巻き付け、竿の保持状態を確実に維持することが出来る。
【００２０】
この実施形態にかかる釣り竿保持具１０Ａは、図１に示すように、肩掛けベルト２０Ａが、その端部を折り返すことにより長さ調整を可能とし、一端側に前記釣り竿固定手段３０における固定部４０を備え、他端側に前記胴上部固定具８０を備えている。
【００２１】
さらに、肩掛けベルト２０Ａは、図５に示すように、釣り竿の竿尻を保持する竿尻受け部材９０をさらに備えると望ましい。竿尻受け部材９０として、図示の例では有底筒状体であるキャップ（以下、符号９０で示す。）が用いられている。これにより、竿尻にキャップ９０を装着することで、竿の荷重を受け止め、竿伸ばし状態において手が自由となり釣りながら小休止することが出来る。
【００２２】
以上のように構成した釣り竿保持具によれば、釣り人がタスキ掛け状態に長さ調整機能付肩掛けベルトを装着し、竿におけるリールシート部の竿先端側の任意の場所を前記肩掛けベルトの先端部側に設けられたＵ字状フックに引っ掛け、その後、固定ベルトを竿の周胴部に巻き付けることで、釣り竿は確実に保持されることになる。さらに、釣り竿の竿尻にキャップ９０を装着することで、図６に示すように、竿伸ばし状態において両手が自由な状態となり、釣りながら小休止をすることが出来る。また、仕掛け等を取り換える時も、岩場など近傍に竿を置くことなく、竿を立てた状態で容易に作業を行なうことができるので、竿を傷つけることもない。
また、本考案に係る釣り竿保持具の第一実施形態によれば、フカセ釣りの浮きを遠投する場合や、鮎釣りをする場合も、前記ベルトを装着した状態で連結手段を解除することで、図７に示すように、ゴムベルトの伸縮により竿を自由自在に操作することが出来る。しかも、連結手段の解除及び連結は、片手で行なうことができるので、連結手段の操作において何の違和感も無く、仕掛けの投入や、魚とのやり取りを行なうことができる。
さらに、第一実施形態の釣り竿保持具によれば、竿伸ばし状態で、Ｕ字状フックの保持位置をリールシート部の竿後端側に移動させて竿を固定することにより、図８に示すように、両手が自由に使えることとなり、荷物を持っての移動も可能となる。
なお、図６乃至図８に示す釣り竿保持具の使用態様では、釣り人の右肩から左わき腹にかけて肩掛けベルトを装着しているが、釣り人の利き腕などによっては逆向きに、すなわち左肩から右わき腹にかけて装着して使用することも可能である。
【００２３】
＜第二実施形態＞
次に、釣り竿保持具の第二実施形態について、図９に基づき説明する。ここでは、先に説明した実施形態と異なる部分を中心に説明する。したがって、上記第一実施形態と同様の構成部分の説明は省略し、特に説明しない限り同じであるものとする。
図９に示すように、第二の釣り竿保持具１０Ｂは、釣り竿の保持を補助するための釣り竿保持具であって、釣り人の上半身に対して着脱自在に取り付け可能とする装着手段２０と、この装着手段２０に取り付けられた釣り竿固定手段３０と、を備える。また、釣り竿固定手段３０は、装着手段２０に固着された固定部４０と、釣り竿を保持する竿受け部５１を備え、釣り竿の保持状態のまま固定部より離反可能とする可動部５０とから構成されている。そして、固定部４０と可動部５０は、互いに係合する着脱自在な連結手段６０と、可動部５０の固定部４０からの離反に追従して伸張する伸縮自在な結合部材７０と、により結合されている。
【００２４】
本実施形態において、装着手段２０は、図９に示すように、ベストなどの衣服（以下、符号２０Ｂで示す。）型をしている。このように装着手段２０を衣服型とすることにより、釣り人の上半身に対して釣り竿保持具を容易に装着することが可能なことは勿論のこと、釣り人の上半身に対して安定して装着することが可能となる。
【００２５】
この衣服２０Ｂは、釣り人の体格に合わせて釣り竿の操作等がし易い位置、たとえば釣り人の腰部近傍にＵ字状フック５１が位置するように、釣り竿固定手段３０を備える。これにより、仕掛け等を取り換えるといった何らかの作業を行なう時や、長時間待ち続けるといった腕に負担を掛ける虞のある時など、Ｕ字状フック５１にて確実に釣り竿の保持を行なうことが出来る。また、図において釣り竿固定手段３０の取り付け基端部は、胸ポケットの近傍に固着されている。したがって、釣り竿固定手段３０の取り付けベルトの長さが長くなり、竿振り等の作業が一層行い易いものとなる。一方、仕掛けの投入といった釣り竿をＵ字状フック５１に保持した状態のまま効率良く操作したい場合は、固定部４０と可動部５０との係合を解除する。これにより、可動部５０は固定部４０から離反し、結合部材であるゴムベルト７０が伸張し、可動部５０が固定部４０から完全に分離することなく結合状態を維持しながら、Ｕ字状フック５１において保持された釣り竿の操作を可能とすることが出来る。
【００２６】
また、衣服２０Ｂは、釣り竿の胴上部を保持する胴上部固定具８０を肩部近傍に備える。この胴上部固定具８０は、他端側が一端側より高い位置に取り付けられており、一端側を上方の他端側に向かって折り返すことにより環状となって、釣り竿の胴上部を保持する構成となっている。したがって、胴上部固定具８０には、一端側を他端側に対して着脱自在に固定する、一対の平面ファスナーより構成された着脱手段８１（８１ａ，８１ｂ）が設けられている。これにより、釣り竿の胴上部に対して胴上部固定具８０を下側より巻き付け、一端側の係止平面ファスナー８１ａを他端側の被係止平面ファスナー８１ｂに係合させることで、竿の重み等よって無闇に着脱手段８１の係合状態が解除されることなく、竿の保持状態を確実に維持することができる。
【００２７】
さらに、衣服２０Ｂは、釣り竿の竿尻を保持する９０をさらに備える。これにより、竿尻にキャップ９０を装着することで、竿伸ばし状態において手が自由となり釣りながら小休止することができる。
【００２８】
以上説明した実施形態にかかる釣り竿保持具によれば、釣り人が、連結手段と結合部材とにより互いに結合した釣り竿固定手段、胴上部固定具、及び竿尻受け部材（キャップ）を備えたベストなどの衣服を身に付け、竿の任意の場所をＵ字状フックに引っ掛け、その後、固定ベルトを竿の周胴部に巻き付けることで、釣り竿は確実に保持されることになる。これに加えて、釣り竿の竿尻にキャップを装着することで、竿伸ばし状態において両手が自由になり、釣りながら小休止をすることが出来る。仕掛け等を取り換える時も、岩場などに竿を置くことなく、竿を立てた状態で容易に作業を行なうことができるので、竿を傷つけることもない。
また、フカセ釣りの浮きを遠投する場合や、鮎釣りをする場合は、連結手段による固定部と可動部の連結を解除することで、ゴムベルトの伸縮により竿を自由自在に操作することが出来る。しかも、連結手段の解除及び連結は、片手で行なうことができるので、連結手段の操作において何の違和感も無く、仕掛けの投入や、魚とのやり取りを行なうことができる。
さらに、竿伸ばし状態で、Ｕ字状フックの保持位置をリールシート部の竿後端側に移動させて竿を固定することにより、両手が自由に使えることとなり、荷物を持っての移動も可能となる。
【００２９】
＜第三実施形態＞
次に、本考案に係る釣り竿保持具の第三実施形態について説明する。この実施例は、図９に示す第二実施形態の変形例であるから、図９を参照しながら説明する。図９に示す実施形態では、釣り竿固定手段３０の基端部である上端部と、胴上部固定具８０の上端部がそれぞれ衣服２０Ｂに、縫い付けなどの固着手段で固着されているが、第三実施形態では、例えば図１に示す連結具２１のような適宜のファスナーで、衣服２０Ｂに着脱自在に構成するとよい。より具体的には、ファスナーの雌型を衣服２０Ｂに固着し、雄型を釣り竿固定手段３０の基端部および胴上部固定具８０の上端部に装着しておく。釣り竿固定手段３０のファスナーと胴上部固定具８０のファスナーは同じ仕様のものを用いる。そして、図９に示す例では、釣り竿固定手段３０の基端部および胴上部固定具８０の上端部の衣服２０Ｂへの固着高さ位置が異なっているが、これらの固着高さ位置を同じにして、例えば衣服２０Ｂの左右の胸ポケットの外側方にファスナーの雌型を固着しておく。
【００３０】
このように構成しておけば、釣り竿固定手段３０と胴上部固定具８０を自由に取り外し、また装着することができ、かつ、両者のファスナーは同じ仕様であることから、釣り竿固定手段３０と胴上部固定具８０の装着位置を左右で任意に交換することができる。したがって、釣り人にとっては、使い勝手のよい装着態様を選択することができる。また、釣竿を使用しないときは、釣り竿固定手段３０と胴上部固定具８０を取り外すことによって、身軽になる利点もある。
【図面の簡単な説明】
【００３１】
【図１】本考案に係る釣り竿保持具の第一実施形態を示す斜視図である。
【図２】上記実施形態における釣り竿固定手段を示す、（ａ）は固定部と可動部の離反前の状態を示す斜視図、（ｂ）は固定部と可動部の離反後の状態を示す斜視図である。
【図３】上記実施形態における固定ベルトの第一の使用例を示す斜視図である。
【図４】上記実施形態における固定ベルトの第二の使用例を示す斜視図である。
【図５】上記実施形態において竿尻受け具を設けた場合を示す斜視図である。
【図６】上記実施形態の第一の使用状態を示す概略図である。
【図７】上記実施形態の第二の使用状態を示す概略図である。
【図８】上記実施形態の第三の使用状態を示す概略図である。
【図９】本考案に係る釣り竿保持具の第二実施形態を示す正面図である。
【符号の説明】
【００３２】
１０  釣り竿保持具
２０  装着手段
２０Ａ  肩掛けベルト
２０Ｂ  衣服（ベスト）
２１  連結具
２１ａ  雄型フック
２１ｂ  雌型フック
２２  長さ調整具
３０  釣り竿固定手段
４０  固定部
５０  可動部
５１  竿受け部
５２  固定ベルト
５３  着脱手段
５３ａ，５３ｂ  平面ファスナー
５４  開口
５５  切り欠き部
６０  連結手段
６１  係止片
６２  被係止口
６３  長さ調整具
６４  ピン
７０  結合部材（ゴムベルト）
８０  胴上部固定具（保持ベルト）
８１  着脱手段
８１ａ，８１ｂ  平面ファスナー
９０  竿尻受け具
１００  リールシート部
【図１】
0003133080.tif 000003
【図２】
0003133080.tif 000004
【図３】
0003133080.tif 000005
【図４】
0003133080.tif 000006
【図５】
0003133080.tif 000007
【図６】
0003133080.tif 000008
【図７】
0003133080.tif 000009
【図８】
0003133080.tif 000010
【図９】
0003133080.tif 000011